(57)【要約】  本発明の目的は、発光管の長手方向が水平方向と鉛直方向のどちらに平行な場合でも発光管を冷却可能な光源装置を提供することにある。光源装置は、設置面を有する筐体と、バルブと封止部を含む発光管と、リフレクタと、送風装置と、ダクトと、を有する。ダクトは、バルブの、設置面から遠い第１の部分に向けて気体を噴出する第１の流路と、バルブの、封止部に近い第２の部分に向けて気体を噴出する第２の流路と、バルブの、設置面から近い第３の部分に向けて気体を噴出する第３の流路と、気体を封止部に向けて噴出する第１の開口および第２の開口と、鉛直方向に対する設置面の向きに応じて第１または第２の流路の入口を塞いで気体を遮断、または、第１の開口に向かわせる第１の塞ぎ部材と、鉛直方向に対する前記設置面の向きに応じて第２第３の流路の入口を塞いで気体を遮断、または、第２の開口に向かわせる第２の塞ぎ部材と、を備える。
2014174589.tif 000002
【特許請求の範囲】
【請求項１】
設置面を有する筐体と、
放電により光を発する１対の電極を収容するバルブと、前記バルブを挟んで対向して設けられた前記１対の電極のそれぞれに電力を供給する２つの導電部材と、該２つの導電部材が封止された２つの封止部と、を含み、前記設置面に平行に配置された発光管と、
凹面形状の反射面を有し、前記発光管を、前記バルブと前記封止部のうちの一方を前記反射面で囲むように収容し、一面が開放された空間を形成するリフレクタと、
送風装置と、
ダクトであって、
前記送風装置から送られた気体が流入する流入口と、
前記流入口から流入した前記気体を、前記バルブの、前記設置面から遠い第１の部分に向けて噴出する第１の流路と、
前記流入口から流入した前記気体を、前記バルブの、前記一方の封止部に近い第２の部分に向けて噴出する第２の流路と、
前記流入口から流入した前記気体を、前記バルブの、前記設置面から近い第３の部分に向けて噴出する第３の流路と、
前記気体を前記一方の封止部に向けて噴出する第１の開口および第２の開口と、
鉛直方向に対する前記設置面の向きに応じて自重により移動して前記第１の流路の入口または前記第２の流路の入口を塞いで、前記流入口からの気体を遮断、または、前記第１の開口に向かわせる第１の塞ぎ部材と
鉛直方向に対する前記設置面の向きに応じて自重により移動して前記第２の流路の入口または前記第３の流路の入口を塞いで、前記流入口からの前記気体を遮断、または、前記第２の開口に向かわせる第２の塞ぎ部材と、を備えるダクトと、
を有する光源装置。
【請求項２】
請求項１に記載の光源装置であって、
前記第１の塞ぎ部材は、前記設置面が鉛直下向きにされたときに前記第２の流路の入口を塞ぎ、前記設置面が鉛直上向きにされたときに前記第１の流路の入口を塞ぎ、前記発光管が前記一方の封止部が鉛直上向きとなる姿勢にされたときに前記第１の流路の入口を塞ぎ、
前記第２の塞ぎ部材は、前記設置面が鉛直下向きにされたときに前記第３の流路の入口を塞ぎ、前記設置面が鉛直上向きにされたときに前記第２の流路の入口を塞ぎ、前記発光管が前記一方の封止部が鉛直上向きとなる姿勢にされたときに前記第３の入口を塞ぐ、光源装置。
【請求項３】
請求項１または２に記載の光源装置であって、
前記設置面に遠い方から順に、前記第１の流路と前記第２の流路と前記第３の流路とが並んで設けられており、
前記第１の開口は、前記気体の流れの向きで、前記第１の流路の上流に位置し、
前記第２の開口は、前記気体の流れの向きで、前記第３の流路の上流に位置している、光源装置。
【請求項４】
請求項１から３のいずれか１項に記載の光源装置であって、
前記第１の塞ぎ部材および前記第２の塞ぎ部材は、直線状に延びた平板部と、前記平板部につながり、前記平板部に対して角度を有する屈折部と、を有し、
前記ダクトは、前記第１の流路と前記第２の流路の間でありかつ前記気体の流れの向きで前記第１の開口よりも上流に位置する第１の回動軸と、前記第２の流路と前記第３の流路の間でありかつ前記気体の流れの向きで前記第２の開口よりも上流に位置する第２の回動軸と、を有し、
前記第１の塞ぎ部材は、前記気体の流れの向きで前記第１の回動軸よりも下流側に前記屈折部が位置し、前記屈折部の先端が前記設置面とは反対の方向を向くように、前記平板部の、前記屈折部とは反対の端部が前記第１の回動軸に支持され、
前記第２の塞ぎ部材は、前記気体の流れの向きで前記第２の回動軸よりも下流側に前記屈折部が位置し、前記屈折部の先端が前記設置面の方向を向くように、前記平板部の、前記屈折部とは反対の端部が前記第２の回動軸に支持されている、光源装置。
【請求項５】
請求項１から３のいずれか１項に記載の光源装置であって、
前記第１の塞ぎ部材および前記第２の塞ぎ部材として、第１の球と第２の球とがそれぞれ設けられており、
前記ダクトの側面には、前記気体の流れの向きで上流側に突出するＶ字形状をした、前記第１の球と前記第２の球とを案内するガイドが設けられている、光源装置。
【請求項６】
請求項１から５のいずれか１項に記載の光源装置であって、
前記第１の流路、前記第２の流路、前記第３の流路はそれぞれ同じ方向に湾曲しており、前記第１の流路および前記第３の流路の曲率は、互いに同じであり、第２の流路の曲率とは異なっている、光源装置。
【請求項７】
請求項１から６のいずれか１項に記載の光源装置を備えた投射型表示装置。
【発明の詳細な説明】
【技術分野】
【０００１】
本発明は、発光管および該発光管を冷却する送風装置を備えた光源装置、及びその光源装置を備えた投写型表示装置に関する。
【背景技術】
【０００２】
映像光を投写する投写型表示装置には、超高圧水銀ランプのような発光管を有する光源装置を備えたものがある。発光管は、細長い形状とされ、放電によって発光する一対の電極を収容する、中央部に設けられたバルブと、当該一対の電極の各電極に両端から電力を供給するための導電部材を封止する封止部と、を有する。発光管の封止部はガラスにより形成することができる。封止部には、導電部材とガラスとの接触部分や、導電部材と電極とを接続する溶接部等が形成されている。【０００３】
放電によりバルブ内に形成された電弧（アーク）は重力と逆方向に凸状の弧を描き、バルブ内の高温気体は浮力により上昇する。そのため、バルブの、鉛直上方となる部分の温度はバルブの、鉛直下方となる部分の温度より高くなる。したがって、バルブが適切な発光状態を維持するためには、バルブの、鉛直上方となる部分の温度を所定の値以下に抑制しつつ、バルブ全体の温度差を小さくすることが必要である。バルブの温度が適切な範囲内に維持されていないと、バルブの白濁や黒化により発光管の寿命が低下したり、明滅（フリッカ）などの発光異常が生じたりすることがある。【０００４】
投写型表示装置は、通常、床のような台に置かれる（以下、「床置き設置」という）。しかし、投射型表示装置は、光源装置が床置き設置の場合とは重力方向に対して逆向きに保持されるように、天井に吊るされることもある（以下、「天吊り設置」という）。床置き設置時におけるバルブの、鉛直方向上方となる部分は、天吊り設置時では、バルブの鉛直方向下方に位置する。一方、床置き設置時におけるバルブの、鉛直方向下方となる部分は、天吊り設置時では、バルブの鉛直方向上方に位置する。つまり、温度が高くなるバルブの鉛直上方となる部分は、床置き設置時と天吊り設置時で異なる。そのため、バルブの発熱しやすい部分が変わる。【０００５】
特許文献１は、バルブの上半分を冷却する送風と、バルブの下半分を冷却する送風とを、別々の導風経路を通してバルブに送り込む構成を有する画像供給装置を開示している。特許文献１に記載の画像供給装置では、バルブの上半分とバルブの下半分に均等に冷却風を向かわせる。そのため、床置き設置姿勢及び天吊り設置姿勢のどちらの場合も、発熱しやすいバルブの鉛直上方となる部分の温度が高くなる。例えば、３００Ｗクラスの光源装置で、バルブの上半分と下半分との温度差が１００℃〜１５０℃となり、バルブの白濁や黒化により発光管の寿命が低下したり、明滅（フリッカ）などの発光異常が生じたりする原因となっていた。【０００６】
近年では、投写画像を縦長にするために、投写型表示装置が、床やテーブル等の設置面から９０度の角度を以て置かれる場合がある（以下、「横向き設置」という）。この場合、光源装置における光の出射方向と、投写型表示装置からの画像の投写方向とが９０°の角度をなすように、投写型表示装置の光学部品が配置される。【０００７】
特許文献２には、それぞれ異なるプロジェクタの３つの姿勢における発光管の冷却方法が示されている。特許文献２に開示される冷却方法では、発光管に対して冷却風が流れる流路が３分割され、これらの流路のうち、天吊り設置、もしくは、床置き設置の場合には、鉛直方向上側の２つの流路を選択し、横向き設置の場合には、３つの流路を選択する風向切替部によって、流路が選択されて冷却風が供給される。
【先行技術文献】
【特許文献】
【０００８】
【特許文献１】特開２００９―３１６０８号公報
【特許文献２】特開２０１１―２５３１５６号公報
【発明の概要】
【発明が解決しようとする課題】
【０００９】
発光管封止部に形成された導電部材とガラスとの接触部分や、導電部材と電極とを接続する溶接部は、バルブからの光の照射により高温になり、破損することもある。そのため、発光管の端部に位置する封止部を所定の温度以下に維持する必要がある。【００１０】
発光管の置かれる状況について考える。発光管は、その発生した光を効率よく利用するために、バルブにて発生した光を一方向に向けて出射するリフレクタ内に配置されることが一般的である。この場合、リフレクタの焦点位置に発光点となるバルブを配置した時にもっとも反射効率がよくなるため、リフレクタ内にはバルブおよび一方の封止部が位置するように配置されることが多い。しかしながら、このような構成の場合、発光するバルブだけではなく、リフレクタ内に位置する封止部も高温になりやすいため、封止部の冷却を強化しなければならない。【００１１】
特許文献２で示されている方法は、バルブの冷却に関しては考慮されているが、封止部の冷却に関しては考慮されていない。そのため、封止部を所定の温度以下に維持し続けることは困難である。【００１２】
本発明の目的は、発光管の長手方向が水平方向と鉛直方向のいずれの場合においても適切に発光管を冷却することができる光源装置および投写型表示装置を提供することにある。
【課題を解決するための手段】
【００１３】
本発明の光源装置は、設置面を有する筐体と、放電により光を発する１対の電極を収容するバルブと、バルブを挟んで対向して設けられた１対の電極のそれぞれに電力を供給する２つの導電部材および２つの導電部材が封止された２つの封止部を含み、設置面に平行に配置された発光管と、凹面形状の反射面を有し、発光管を、バルブと封止部のうちの一方を反射面で囲むように収容し、一面が開放された空間を形成するリフレクタと、送風装置と、ダクトと、有する。ダクトは、送風装置からの気体が流入する流入口と、流入口からの気体が流入し、バルブの、設置面から遠い第１の部分に向けて気体を噴出する第１の流路と、流入口からの気体が流入し、バルブの、封止部に近い第２の部分に向けて気体を噴出する第２の流路と、流入口からの気体が流入し、バルブの、設置面から近い第３の部分に向けて気体を噴出する第３の流路と、気体を封止部に向けて噴出する第１の開口および第２の開口と、鉛直方向に対する設置面の向きに応じて自重により移動して第１の流路の入口または第２の流路の入口を塞いで、流入口からの気体を遮断、または、第１の開口に向かわせる第１の塞ぎ部材と、鉛直方向に対する設置面の向きに応じて自重により移動して第２の流路の入口または第３の流路の入口を塞いで、流入口からの気体を遮断、または、第２の開口に向かわせる第２の塞ぎ部材と、を備える。
【図面の簡単な説明】
【００１４】
【図１】本発明の一実施形態における光源装置を備えた投写型表示装置の外観斜視図である。
【図２】投写型表示装置の光学処理を行う光学部品及び光学部品周辺の主要部品を示す斜視図である。
【図３Ａ】投写型表示装置が床置き設置された状態を示す模式図である。
【図３Ｂ】投写型表示装置が天吊り設置された状態を示す模式図である。
【図３Ｃ】投写型表示装置が横向き設置された状態を示す模式図である。
【図４】ランプユニットの詳細図である。
【図５】床置き設置状態におけるランプホルダ付近をランプユニットとは反対側からみた斜視図である。
【図６】床置き設置状態におけるランプホルダ付近をランプユニット側から見た斜視図である。
【図７】ダクトの概略斜視図である。
【図８Ａ】床置き設置時のダクト内の冷却風の流れを示す模式図である。
【図８Ｂ】床置き設置時のダクトからの冷却風の流れを示す、図８ＡのＡＡ断面の模式図である。
【図８Ｃ】床置き設置時の第１のバルブ用吹き出し口からの冷却風の流れを示す、図８ＡのＢＢ断面の模式図である。
【図８Ｄ】床置き設置時の第２の封止部用吹き出し口からの冷却風の流れを示す、図８ＡのＣＣ断面の模式図である。
【図９Ａ】天吊り設置時のダクト内の冷却風の流れを示す模式図である。
【図９Ｂ】天吊り設置時のダクトからの冷却風の流れを示す、図９ＡのＤＤ断面の模式図である。
【図９Ｃ】天吊り設置時の第３のバルブ用吹き出し口からの冷却風の流れを示す、図９ＡのＥＥ断面の模式図である。
【図９Ｄ】天吊り設置時の第１の封止部用吹き出し口からの冷却風の流れを示す、図９ＡのＦＦ断面の模式図である。
【図１０Ａ】横向き設置時のダクト内の冷却風の流れを示す模式図である。
【図１０Ｂ】横向き設置時のダクトからの冷却風の流れを示す、図１０ＡのＧＧ断面の模式図である。
【図１０Ｃ】横向き設置時の第２のバルブ用吹き出し口からの冷却風の流れを示す、図１０ＡのＨＨ断面の模式図である。
【図１０Ｄ】横向き設置時の第１および第２の封止部用吹き出し口からの冷却風の流れを示す、図１０ＡのＩＩ断面の模式図である。
【図１１】ダクトの内部構造を示す、ダクトの概略斜視図である。
【図１２Ａ】床置き設置状態における、ダクトの断面の模式図である。
【図１２Ｂ】天吊り設置状態における、ダクトの断面の模式図である。
【図１２Ｃ】横向き設置状態における、ダクトの断面の模式図である。
【発明を実施するための形態】
【００１５】
次に、本発明の実施形態について、図面を参照して説明する。
【００１６】
図１は本発明の一実施形態おける光源装置を備えた投写型表示装置の外観斜視図である。投写型表示装置１５は、各部品を収容する筐体１２と、画像を形成する光をスクリーン等に投写する投写レンズ１４と、を備えている。なお、床置き設置状態時に、投写型表示装置が被設置面に設置されたときに、被設置面と対向する筐体の面を設置面１３とする。
【００１７】
図２は、投写型表示装置１５の光学処理を行う光学部品及び光学部品周辺の主要部品を示している。これらの部品は、筐体１２内に収容されている。投写型表示装置１５は、光源装置２０及び光学エンジン１６を備えている。
【００１８】
光源装置２０のランプユニット（不図示、図４参照）から出射した光は、光学エンジン１６の内部の光学部品によって光学処理された後に、投写レンズ１４を通ってスクリーン等に投写される。本実施形態では、光源装置２０から出射した光は、光学エンジン１６で９０度曲げられる。つまり、光源装置２０における光の出射方向と、投写型表示装置からの画像の投写方向（投影光の方向）とが９０°の角度をなすようなっている。また、ランプユニットは、送風装置１８で発生し、通路１９と、ダクト（不図示、図５参照）またはリフレクタ裏側冷却風流路３１を介して流れてくる風によって冷却される。
【００１９】
図３Ａ〜図３Ｃは、投写型表示装置１５の設置姿勢の例を示している。
【００２０】
図３Ａは、投写型表示装置１５が床置き設置された状態を示している。本例では、床置き設置姿勢において、投写レンズ１４は概ね水平面に沿った方向に横長の光Ｌを投写する。
【００２１】
図３Ｂは、投写型表示装置が天吊り設置された状態を示している。本例では、天吊り設置姿勢において、投写レンズ１４は概ね水平面に沿った方向に横長の光Ｌを投写する。
【００２２】
図３Ｃは、投写型表示装置が横向き設置された状態を示している。本例では、投射型表示装置１５は、投写レンズ１４が概ね水平面に沿った縦長の光Ｌを投写するように向けられている。この場合、発光管４８（図４参照）は、鉛直上方を向いている。
【００２３】
図４は、ランプユニット４０の詳細図である。本実施例のランプは超高圧水銀ランプであり、リフレクタベース５２を介してリフレクタ５０に保持される発光管４８は、放電により光を発する一対の電極と、一対の電極を収容し、放電により発光する略球状のバルブ４４と、バルブ４４から互いに反対方向に延び、バルブ４４内の一対の電極に電力を供給する導電部材を収容する封止部４５，４６と、から構成されている。この導電部材は、例えば箔状の金属から形成される。封止部４５，４６は、この導電部材を気密に封止している。封止部４５，４６は、ガラスにより形成することができる。リフレクタベース５２による発光管４８の保持は無機材料を主成分とした接着剤により固着されている。一方の封止部４５は、バルブ４４から、リフレクタ５０によって形成された空間の開放された一面に向かう方へ延びていて良い。他方の封止部４６は、バルブ４４から、リフレクタ５０の底部を貫通してリフレクタ５０の後方へ延びていて良い。また、バルブ４４と一方の封止部４５は、リフレクタ５０に囲まれて配置されているため、他方の封止部４６に比べて一方の封止部４５は高温になりやすく、一方の封止部４５は、他方の封止部４６に比べると冷却をする必要がある。
【００２４】
リフレクタ５０は、凹面形状の反射面を有しており、発光管４８を収容する空間を形成している。当該空間は一面で開放されている。発光管４８からの光は、直接またはリフレクタ５０で反射されて、当該空間の開放された一面から当該空間の外部に出射し、光学エンジン１６へ入射する。バルブ４４は、リフレクタ５０の底部近傍に配置されていることが好ましい。
【００２５】
バルブ４４の放電による発光基点は重力の方向とは反対側に凸状の弧を描くことと、バルブ４４内の高温気体が重力に対して上側（鉛直上方）に移動することにより、バルブ４４の温度は鉛直下方よりも鉛直上方の方が高くなる。バルブ温度が所定温度範囲より高くなると白濁を生じるため寿命が短くなる。逆に所定温度範囲より低くなると、輝度低下やフリッカが生じたり、黒化を原因として寿命が短縮したりする。また、ガラス管と導電部材の気密封止部の温度が適温よりも高くなると、導電部材の酸化が促進し、破裂や不点灯が発生する。
【００２６】
また、導電部材を封止する一方の封止部４５の温度は、バルブ４４からの光の照射により高くなる。封止部４５の温度が所定の値よりも高くなると、導電部材の酸化が促進され、発光管４８が破裂したりバルブ４４が点灯しなかったりすることがある。したがって、バルブ４４全体の温度を所定の範囲内に維持するとともに、封止部４５の温度を所定の値以下に維持することが望まれる。
【００２７】
図５は、床置き設置状態におけるランプホルダ４２付近をランプユニット４２とは反対側からみた斜視図である。図６は、床置き設置状態におけるランプホルダ４２付近をランプユニット４０側から見た斜視図である。図７は、ダクト３０の概略斜視図である。なお、図６では、ランプユニット４０を省略している。
【００２８】
ランプユニット４０を保持するランプホルダ４２に隣接して、バルブ４４と封止部４５を冷却する冷却風が通過するためのダクト３０が設けられている。ダクト３０には、流入口１と、流入口１と第１のバルブ用吹き出し口２とに連通する第１の流路５と、流入口１と第２のバルブ用吹き出し口３とに連通する第２の流路６と、流入口１と第３のバルブ用吹き出し口４とに連通する第３の流路７と、開口である第１の封止部用吹き出し口８および第２の封止部用吹き出し口９と、塞ぎ部材として、第１封止板１０および第２封止板１１と、が設けられている。
【００２９】
送風装置１８からの冷却風が流入口１からダクト３０内に流入する。床置き設置状態において、第１の流路５が最も上部（設置面１３から遠い側）に配置され、第１の流路から下方に向かって第２の流路６と第３の流路７とが順に配置されている。なお、第１〜第３のバルブ用吹き出し口２、３、４は互いに等間隔に配置されている。
【００３０】
第１のバルブ用吹き出し口２からの冷却風は、バルブ４４の、設置面１３から遠い部分（第１の部分）を冷却し、第２のバルブ用吹き出し口３からの冷却風は、バルブ４４の、封止部４５に近い部分（第２の部分）を冷却し、第３のバルブ用吹き出し口４からの冷却風は、バルブ４４の、設置面１３に近い部分（第３の部分）を冷却する。
【００３１】
なお、第１〜第３のバルブ用吹き出し口２〜４は、ダクト３０の側面に設けられている。そのため、第１〜第３の流路５〜７は、各流路５〜７の入口と、出口である第１〜第３のバルブ用吹き出し口２〜４とでは向きが異なる。したがって、各流路５〜７は湾曲している。第２の流路６を通過する冷却風は、バルブ４４の、封止部４５に近い部分（第２の部分）を冷却する必要があるため、第２の流路６の曲率は、第１の流路５および第３の流路７の曲率に比べて大きい。第１の流路５および第３の流路７の曲率は同じである。
【００３２】
冷却風の流れる方向において、第１のバルブ用吹き出し口２の上流に第１の封止部用吹き出し口８が設けられ、第３のバルブ用吹き出し口４の上流に第２の封止部用吹き出し口９が設けられている。第１の封止部用吹き出し口８および第２の封止部用吹き出し口９からの冷却風で、封止部４５が冷却される。
【００３３】
なお、第１の封止部用吹き出し口８および第２の封止部用吹き出し口９は、第１〜第３のバルブ用吹き出し口２、３、４より小さくなっている。
【００３４】
封止板１０、１１は、直線状に延びた平板部２３と、平板部２３につながり、平板部２３に対して角度を有する屈折部２４と、を有している（図７参照）。
【００３５】
ダクト３０は、第１の流路５と第２の流路６の間でありかつ冷却風の流れの向きで第１の封止部用吹き出し口８よりも上流に位置する第１の回動軸２１と、第２の流路６と第３の流路７の間でありかつ冷却風の流れの向きで第２の封止部用吹き出し口９よりも上流に位置する第２の回動軸２２と、を有する。
【００３６】
第１の封止板１０は、冷却風の流れの向きで第１の回動軸２１よりも下流側に屈折部２４が位置し、屈折部２４の先端が設置面１３とは反対の方向を向くように、平板部２３の、屈折部２４とは反対の端部が第１の回動軸２１に回動可能の支持されている。
【００３７】
第２の封止板１１は、冷却風の流れの向きで第２の回動軸２２よりも下流側に屈折部２４が位置し、屈折部２４の先端が設置面１３の方向を向くように、平板部２３の、屈折部２４とは反対の端部が第２の回動軸２２に支持されている。
【００３８】
このような構成により、第１の封止板１０と第２の封止板１１は自重により回転が可能である。
【００３９】
送風装置１８からダクト３０に供給される冷却風は、流入口１に流入し、各吹き出し口２〜４、８、９のいずれかを通過し、主にバルブ４４と封止部４５を冷却した後、冷却風出口３２から光源装置外部に排気される。
【００４０】
ダクト３０に隣接して、冷却風をリフレクタ５０の裏側に導くリフレクタ裏側冷却風流路３１が備えられている。
【００４１】
次に、投写型表示装置１５が床置き設置、天吊り設置、横向き設置の各状態における冷却風の流れを説明する。
【００４２】
まず、床置き設置時について、図８Ａ〜図８Ｄを用いて説明する。図８Ａは床置き設置時のダクト内の冷却風の流れを示す模式図である。図８Ｂは、床置き設置時のダクトからの冷却風の流れを示す、図８Ａの断面の模式図である。図８Ｃは、床置き設置時の第１のバルブ用吹き出し口からの冷却風の流れを示す、図８ＡのＢＢ断面の模式図である。図８Ｄは、床置き設置時の第２の封止部用吹き出し口からの冷却風の流れを示す、図８ＡのＣＣ断面の模式図である。なお、図中の矢印は、冷却風（気体）の流れを示している。
【００４３】
床置き設置においては、自重により回転した第１の封止板１０と第２の封止板１１とによって、第２の流路６の入口と第３の流路の入口がそれぞれ塞がれる。送風装置１８からの冷却風は、ダクト３０の流入口１に流入する。ダクト３０に流入した冷却風は、第１の流路５のみを通過し、第１のバルブ用吹き出し口２から噴出し、主にバルブ４４の第１の部分を冷却する。
【００４４】
流入口１と第１の流路５の間に第１の封止部用吹き出し口８が存在するが、冷却風の慣性により冷却風の大部分は第１の封止部用吹き出し８を通過し、冷却風は第１のバルブ用吹き出し口２から噴出する。
【００４５】
また、流入口１から流入した冷却風は、第１および第２の封止板１０、１１によって遮断され、第２および第３の流路６、７には流入しない。そして、第２の封止板１１に遮断された冷却風は、流れの向きを変えられ、第２の封止部用吹き出し口９から噴出し、主に封止部４５を冷却する。
【００４６】
床置き設置状態においては、バルブ４４の鉛直上方に位置する第１の部分に向かって冷却風を噴出できる第１のバルブ用吹き出し口２から冷却風を噴出でき、封止部４５に向かって冷却風を噴出できる第２の封止部用吹き出し口９からも冷却風を噴出することができる。
【００４７】
次に、天吊り設置時について、図９Ａ〜図９Ｄを用いて説明する。図９Ａは天吊り設置時のダクト内の冷却風の流れを示す模式図である。図９Ｂは、天吊り設置時のダクトからの冷却風の流れを示す、図９ＡのＤＤ断面の模式図である。図９Ｃは、天吊り設置時の第３のバルブ用吹き出し口からの冷却風の流れを示す、図９ＡのＥＥ断面の模式図である。図９Ｄは、天吊り設置時の第１の封止部用吹き出し口からの冷却風の流れを示す、図９ＡのＦＦ断面の模式図である。なお、図中の矢印は、冷却風（気体）の流れを示している。
【００４８】
天吊り設置においては、自重により回転した第１の封止板１０と第２の封止板１１とによって、第１の流路５の入口と第２の流路６の入口がそれぞれ塞がれる。送風装置１８からの冷却風は、ダクト３０の流入口１に流入する。ダクト３０に流入した冷却風は、第３の流路７のみを通過し、第３のバルブ用吹き出し口４から噴出し、主にバルブ４４の第３の部分を冷却する。
【００４９】
流入口１と第３の流路７の間に第２の封止部用吹き出し口９が存在するが、冷却風の慣性により冷却風の大部分は第２の封止部用吹き出し９を通過し、冷却風は第３のバルブ用吹き出し口４から噴出する。
【００５０】
また、流入口１から流入した冷却風は、第１および第２の封止板１０、１１によって遮断され、第１および第２の流路５、６には流入しない。そして、第１の封止板１０に遮断された冷却風は、流れの向きを変えられ、第１の封止部用吹き出し口８から噴出し、主に封止部４５を冷却する。
【００５１】
天吊り設置状態においては、バルブ４４の鉛直上方に位置する第３の部分に向かって冷却風を噴出できる第３のバルブ用吹き出し口４から冷却風を噴出でき、封止部４５に向かって冷却風を噴出できる第１の封止部用吹き出し口８からも冷却風を噴出することができる。
【００５２】
次に、横向き設置時について、図１０Ａ〜図１０Ｄを用いて説明する。図１０Ａは天吊り設置時のダクト内の冷却風の流れを示す模式図である。図１０Ｂは、天吊り設置時のダクトからの冷却風の流れを示す、図１０ＡのＧＧ断面の模式図である。図１０Ｃは、天吊り設置時の第３のバルブ用吹き出し口からの冷却風の流れを示す、図１０ＡのＨＨ断面の模式図である。図１０Ｄは、天吊り設置時の第１の封止部用吹き出し口からの冷却風の流れを示す、図１０ＡのＩＩ断面の模式図である。なお、図中の矢印は、冷却風（気体）の流れを示している。
【００５３】
横置き設置においては、自重により回転した第１の封止板１０と第２の封止板１１とによって、第１の流路５の入口と第３の流路７の入口がそれぞれ塞がれる。送風装置１８からの冷却風は、ダクト３０の流入口１に流入する。ダクト３０に流入した冷却風は、第２の流路６のみを通過し、第２のバルブ用吹き出し口３から噴出し、主にバルブ４４の第２の部分を冷却する。
【００５４】
また、流入口１から流入した冷却風は、第１および第２の封止板１０、１１によって遮断され、第１および第３の流路５、７には流入しない。そして、第１の封止板１０に遮断された冷却風は、流れの向きを変えられ、第１の封止部用吹き出し口８から噴出し、主に封止部４５を冷却する。さらに、第２の封止板１１に遮断された冷却風は、流れの向きを変えられ、第２の封止部用吹き出し口９から噴出し、主に封止部４５を冷却する。
【００５５】
横向き設置状態においては、バルブ４４の、鉛直上方に位置する第２の部分に向かって冷却風を噴出できる第２のバルブ用吹き出し口３から冷却風を噴出できる。
【００５６】
また、横向き設置状態では、封止部４５の先端が鉛直上方を向いているため、床置き設置状態や天吊り設置状態に比べて封止部４５が高温になる。しかしながら、横置き設置状態において、床置き設置状態と天吊り設置状態と異なり、第１の封止部用吹き出し口８と第２の封止部用吹き出し口９の２か所から冷却風を封止部４５に噴出することができる。そのため、封止部４５の温度上昇を抑制することができる。
【００５７】
以上で説明したように、本発明では、発光管が水平方向と平行な姿勢のみならず、鉛直方向と平行になる姿勢を含んだ、各設置状態において、バルブ４４の、鉛直上方となる部分を冷却することができる。さらに、各設置状態において封止部４５を冷却することができるが、横向き設置状態においては、特に高温になりやすい封止部４５を効果的に冷却することができる。
【００５８】
次に、ダクト３０の他の実施形態を説明する。図１１は、ダクト６０の内部構造を示す、ダクトの概略斜視図である。図１１では、内部構造をわかりやすくするために、ダクト６０の壁面の一部を省略している。なお、上述の実施形態と同様の構成については説明を省略する。
【００５９】
冷却風の流れる向きにおいて、ダクト６０の、各流路５〜７と第１、第２の封止部用吹き出し口８、９の間であり、ダクト６０の側面にそれぞれガイド６３が設けられている。
【００６０】
このガイド６３同士の間に、塞ぎ部材として、第１の球６１（設置面１３より遠い側）と第２の球６２（設置面１３に近い側）とが挟まれ、ガイド６３に案内される。このガイド６３は、冷却風の流れの向きにおいて、第２の流路６の高さの位置で最も上流側（流入口１側）に突出するＶ字形状をしている。
【００６１】
投写型表示装置１５の各姿勢における、ダクト６０内の様子を、図１２Ａ〜図１２Ｃを用いて説明する。図１２Ａは、床置き設置状態における、ダクト６０の断面の模式図、図１２Ｂは、天吊り設置状態における、ダクト６０の断面の模式図、図１２Ｃは、横向き設置状態における、ダクト６０の断面の模式図である。
【００６２】
床置き設置状態では、第１の球６１と第２の球６２とは、自重により、設置面１３に近づいて重なる。そして、上述の実施形態と同様に、第１の球６１で第２の流路６の入口を塞ぎ、第２の球６２で第３の流路７の入口が塞がれる。その結果、第１のバルブ用吹き出し口２と、第２の封止部用吹き出し口９とから冷却風が噴出する。
【００６３】
天吊り設置状態では、第１の球６１と第２の球６２とは、自重により、設置面１３とは遠い側に近づいて重なる。そして、上述の実施形態と同様に、第１の球６１で第１の流路６の入口を塞ぎ、第２の球６２で第２の流路６の入口が塞がれる。その結果、第３のバルブ用吹き出し口４と、第１の封止部用吹き出し口８とから冷却風が噴出する。
【００６４】
横向き設置状態では、第１の球６１と第２の球６２とは、自重により、設置面１３に近い側と遠い側とに移動する。そして、上述の実施形態と同様に、第１の球６１で第１の流路６の入口を塞ぎ、第２の球６２で第３の流路７の入口が塞がれる。その結果、第２のバルブ用吹き出し口３と、第１および第２の封止部用吹き出し口８、９とから冷却風が噴出する。
【００６５】
したがって、本実施形態においても、投写型表示装置１５の各姿勢においても上述の実施形態と同様に、バルブ４４および封止部４５を適切に冷却することができる。
【００６６】
以上、本発明の望ましい実施形態について提示し、詳細に説明したが、本発明は上記実施形態に限定されるものではなく、要旨を逸脱しない限り、さまざまな変更及び修正が可能であることを理解されたい。
【符号の説明】
【００６７】
１  流入口
２  第１の封止部用吹き出し口
３  第２の封止部用吹き出し口
４  第４の封止部用吹き出し口
５  第１の流路
６  第２の流路
７  第３の流路
８  第１の封止部用吹き出し口
９  第２の封止部用吹き出し口
１０  第１の封止板
１１  第２の封止板
１２  筺体
１３  設置面
１４  投写レンズ
１５  投射型表示装置
１６  光学エンジン
１８  送風装置
１９  通路
２０  光源装置
２１  第１の回動軸
２２  第２の回動軸
２３  平板部
２４  屈折部
３０、６０  ダクト
３１  リフレクタ裏側冷却風流路
３２  冷却風出口
４０  ランプユニット
４２  ランプホルダ
４４  バルブ
４５  封止部
４６  封止部
４８  発光管
５０  リフレクタ
５２  リフレクタベース
６１  第１の球
６２  第２の球
６３  ガイド
【図１】
2014174589.tif 000003
【図２】
2014174589.tif 000004
【図３Ａ】
2014174589.tif 000005
【図３Ｂ】
2014174589.tif 000006
【図３Ｃ】
2014174589.tif 000007
【図４】
2014174589.tif 000008
【図５】
2014174589.tif 000009
【図６】
2014174589.tif 000010
【図７】
2014174589.tif 000011
【図８Ａ】
2014174589.tif 000012
【図８Ｂ】
2014174589.tif 000013
【図８Ｃ】
2014174589.tif 000014
【図８Ｄ】
2014174589.tif 000015
【図９Ａ】
2014174589.tif 000016
【図９Ｂ】
2014174589.tif 000017
【図９Ｃ】
2014174589.tif 000018
【図９Ｄ】
2014174589.tif 000019
【図１０Ａ】
2014174589.tif 000020
【図１０Ｂ】
2014174589.tif 000021
【図１０Ｃ】
2014174589.tif 000022
【図１０Ｄ】
2014174589.tif 000023
【図１１】
2014174589.tif 000024
【図１２Ａ】
2014174589.tif 000025
【図１２Ｂ】
2014174589.tif 000026
【図１２Ｃ】
2014174589.tif 000027
【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
設置面を有する筐体と、
放電により光を発する１対の電極を収容するバルブと、前記バルブを挟んで対向して設けられた前記１対の電極のそれぞれに電力を供給する２つの導電部材と、該２つの導電部材が封止された２つの封止部と、を含み、前記バルブおよび前記２つの封止部の並ぶ方向が前記設置面に平行になるように配置された発光管と、
凹面形状の反射面を有し、前記バルブと、前記２つの封止部のうちの一方の封止部とを前記反射面で囲むように収容し、一面が開放された空間を形成するリフレクタと、
送風装置と、
ダクトと、を有し、
前記ダクトは、
前記送風装置から送られた気体が流入する流入口と、
前記流入口から流入した前記気体を、前記バルブの、前記設置面から遠い第１の部分に向けて噴出する第１の流路と、
前記流入口から流入した前記気体を、前記バルブの、前記一方の封止部に近い第２の部分に向けて噴出する第２の流路と、
前記流入口から流入した前記気体を、前記バルブの、前記設置面から近い第３の部分に向けて噴出する第３の流路と、
前記気体を前記一方の封止部に向けて噴出する第１の開口および第２の開口と、
鉛直方向に対する前記設置面の向きに応じて自重により移動して前記第１の流路の入口または前記第２の流路の入口を塞ぐ第１の塞ぎ部材と、
鉛直方向に対する前記設置面の向きに応じて自重により移動して前記第２の流路の入口または前記第３の流路の入口を塞ぐ第２の塞ぎ部材と、を備え、
前記第１の塞ぎ部材は、前記設置面が鉛直下向きにされたときに前記第２の流路の入口を塞ぎ、前記設置面が鉛直上向きにされたときに前記第１の流路の入口を塞ぎ、前記発光管が前記一方の封止部が鉛直上向きとなる姿勢にされたときに前記第１の流路の入口を塞ぎ、
前記第２の塞ぎ部材は、前記設置面が鉛直下向きにされたときに前記第３の流路の入口を塞ぎ、前記設置面が鉛直上向きにされたときに前記第２の流路の入口を塞ぎ、前記発光管が前記一方の封止部が鉛直上向きとなる姿勢にされたときに前記第３の流路の入口を塞ぐ、光源装置。
【請求項２】
請求項１に記載の光源装置であって、
前記設置面に遠い方から順に、前記第１の流路と前記第２の流路と前記第３の流路とが並んで設けられており、
前記第１の開口は、前記気体の流れの向きで、前記第１の流路の上流に位置し、
前記第２の開口は、前記気体の流れの向きで、前記第３の流路の上流に位置している、光源装置。
【請求項３】
請求項１または２に記載の光源装置であって、
前記第１の塞ぎ部材および前記第２の塞ぎ部材は、直線状に延びた平板部と、前記平板部につながり、前記平板部に対して角度を有する屈折部と、を有し、
前記ダクトは、前記第１の流路と前記第２の流路の間でありかつ前記気体の流れの向きで前記第１の開口よりも上流に位置する第１の回動軸と、前記第２の流路と前記第３の流路の間でありかつ前記気体の流れの向きで前記第２の開口よりも上流に位置する第２の回動軸と、を有し、
前記第１の塞ぎ部材は、前記気体の流れの向きで前記第１の回動軸よりも下流側に前記屈折部が位置し、前記屈折部の先端が前記設置面とは反対の方向を向くように、前記平板部の、前記屈折部とは反対の端部が前記第１の回動軸に支持され、
前記第２の塞ぎ部材は、前記気体の流れの向きで前記第２の回動軸よりも下流側に前記屈折部が位置し、前記屈折部の先端が前記設置面の方向を向くように、前記平板部の、前記屈折部とは反対の端部が前記第２の回動軸に支持されている、光源装置。
【請求項４】
請求項１または２に記載の光源装置であって、
前記第１の塞ぎ部材および前記第２の塞ぎ部材として、第１の球と第２の球とがそれぞれ設けられており、
前記ダクトの側面には、前記気体の流れの向きで上流側に突出するＶ字形状をした、前記第１の球と前記第２の球とを案内するガイドが設けられている、光源装置。
【請求項５】
請求項１から４のいずれか１項に記載の光源装置であって、
前記第１の流路、前記第２の流路、前記第３の流路はそれぞれ同じ方向に湾曲しており、前記第１の流路および前記第３の流路の曲率は、互いに同じであり、第２の流路の曲率とは異なっている、光源装置。
【請求項６】
請求項１から５のいずれか１項に記載の光源装置を備えた投射型表示装置。
【手続補正２】
【補正対象書類名】明細書
【補正対象項目名】００１３
【補正方法】変更
【補正の内容】
【００１３】
本発明の光源装置は、設置面を有する筐体と、放電により光を発する１対の電極を収容するバルブと、バルブを挟んで対向して設けられた１対の電極のそれぞれに電力を供給する２つの導電部材および２つの導電部材が封止された２つの封止部を含み、設置面に平行に配置された発光管と、凹面形状の反射面を有し、発光管を、バルブと封止部のうちの一方を反射面で囲むように収容し、一面が開放された空間を形成するリフレクタと、送風装置と、ダクトと、有する。ダクトは、送風装置からの気体が流入する流入口と、流入口からの気体が流入し、バルブの、設置面から遠い第１の部分に向けて気体を噴出する第１の流路と、流入口からの気体が流入し、バルブの、封止部に近い第２の部分に向けて気体を噴出する第２の流路と、流入口からの気体が流入し、バルブの、設置面から近い第３の部分に向けて気体を噴出する第３の流路と、気体を封止部に向けて噴出する第１の開口および第２の開口と、鉛直方向に対する設置面の向きに応じて自重により移動して第１の流路の入口または第２の流路の入口を塞いで、流入口からの気体を遮断、または、第１の開口に向かわせる第１の塞ぎ部材と、鉛直方向に対する設置面の向きに応じて自重により移動して第２の流路の入口または第３の流路の入口を塞いで、流入口からの気体を遮断、または、第２の開口に向かわせる第２の塞ぎ部材と、を備える。第１の塞ぎ部材は、設置面が鉛直下向きにされたときに第２の流路の入口を塞ぎ、設置面が鉛直上向きにされたときに第１の流路の入口を塞ぎ、発光管が一方の封止部が鉛直上向きとなる姿勢にされたときに第１の流路の入口を塞ぐ。第２の塞ぎ部材は、設置面が鉛直下向きにされたときに第３の流路の入口を塞ぎ、設置面が鉛直上向きにされたときに第２の流路の入口を塞ぎ、発光管が一方の封止部が鉛直上向きとなる姿勢にされたときに第３の流路の入口を塞ぐ。
【手続補正３】
【補正対象書類名】明細書
【補正対象項目名】００６７
【補正方法】変更
【補正の内容】
【００６７】
１  流入口
２  第１のバルブ用吹き出し口
３  第２のバルブ用吹き出し口
４  第３のバルブ用吹き出し口
５  第１の流路
６  第２の流路
７  第３の流路
８  第１の封止部用吹き出し口
９  第２の封止部用吹き出し口
１０  第１の封止板
１１  第２の封止板
１２  筺体
１３  設置面
１４  投写レンズ
１５  投射型表示装置
１６  光学エンジン
１８  送風装置
１９  通路
２０  光源装置
２１  第１の回動軸
２２  第２の回動軸
２３  平板部
２４  屈折部
３０、６０  ダクト
３１  リフレクタ裏側冷却風流路
３２  冷却風出口
４０  ランプユニット
４２  ランプホルダ
４４  バルブ
４５  封止部
４６  封止部
４８  発光管
５０  リフレクタ
５２  リフレクタベース
６１  第１の球
６２  第２の球
６３  ガイド
【国際調査報告】
2014174589.tif 000028
2014174589.tif 000029
2014174589.tif 000030
2014174589.tif 000031